(57)【要約】  回転検出装置１は、ケース３に３箇所の収納部３２が設けられ、それぞれの収納部３２にセンサ素子４が取り付けられている。収納部３２には基準壁部３３が設けられており、センサ素子４の基準面４３に接触している。センサ素子４の素子本体４１は、先端部が収納部３２のテーパ部３６に当接している。センサ素子４のリード端子４２は、収納部３２の上方に設けられたガイド突部３７によって案内される。基板５にはリード端子４２に接触しない大きさの接続孔５１が設けられ、この接続孔５１にリード端子４２が挿入された状態でハンダ付けが行われる。従って、ハンダ付け後もリード端子４２にスプリングバック等が生じない。
2020049780.tif 000002
【特許請求の範囲】
【請求項１】
検出対象に対して位置決めされるケースにセンサ素子を取り付ける構造であって、
前記センサ素子は、前記検出対象に対する配置方向を規定する基準面を有し、
前記ケースは、前記センサ素子を挿入して位置決めするための収納部を有し、
前記収納部は、前記基準面を前記検出対象に対して位置決めする基準壁部と、前記基準壁部に対向し、前記センサ素子の挿入方向に向けて前記基準壁部に対して狭まるように傾斜するテーパ部を備え、
前記基準壁部と前記テーパ部との間隔は、前記基準面に垂直な前記センサ素子の厚さ寸法よりも長い部分と短い部分を有しており、
前記センサ素子は、前記収納部に挿入され、前記テーパ部に当接して前記基準面が前記基準壁部に接触した状態で取り付けられることを特徴とするセンサ素子の取付構造。
【請求項２】
前記収納部は、前記センサ素子の幅方向の両側に、前記センサ素子を挿入方向に案内するガイド壁が設けられていることを特徴とする請求項１に記載のセンサ素子の取付構造。
【請求項３】
前記センサ素子は、検出信号を外部に出力するリード端子を有しており、
前記リード端子は、前記センサ素子が前記収納部に取り付けられた際に、前記基準壁部側に向けて屈曲されていることを特徴とする請求項１又は２に記載のセンサ素子の取付構造。
【請求項４】
前記ケースは、前記センサ素子が前記収納部に取り付けられた際に、前記リード端子を案内するガイド突部を備えていることを特徴とする請求項３に記載のセンサ素子の取付構造。
【請求項５】
検出対象の移動量を検出する移動量検出装置であって、
前記検出対象に対して位置決めされるケースと、
前記ケースに取り付けられ、検出信号を外部に出力するリード端子を備えたセンサ素子と、
前記ケースに取り付けられ、前記リード端子が接続される基板と、
前記基板に接続され、前記ケースから突出して外部との接続が可能な外部接続端子とを備え、
前記センサ素子は、前記検出対象に対する配置方向を規定する基準面を有し、
前記ケースは、前記センサ素子を挿入して位置決めするための収納部を有し、
前記収納部は、前記基準面を前記検出対象に対して位置決めする基準壁部と、前記基準壁部に対向し、前記センサ素子の挿入方向に向けて前記基準壁部に対して狭まるように傾斜するテーパ部を備え、
前記基準壁部と前記テーパ部との間隔は、前記基準面に垂直な前記センサ素子の厚さ寸法よりも長い部分と短い部分を有しており、
前記センサ素子は、前記収納部に挿入され、前記テーパ部に当接して前記基準面が前記基準壁部に接触した状態で取り付けられ、前記リード端子が前記基板に接続されていることを特徴とする移動量検出装置。
【請求項６】
前記検出対象は円弧状の外周面を有する磁性体であり、
前記ケースは、前記外周面に沿って延設された円弧状の側壁部を有し、
前記収納部は前記側壁部に沿って３箇所に設けられ、それぞれの前記収納部に前記センサ素子が取り付けられていることを特徴とする請求項５に記載の移動量検出装置。
【請求項７】
検出対象の移動量を検出する移動量検出装置の製造方法であって、
前記移動量検出装置は、
前記検出対象に対して位置決めされるケースと、
前記ケースに取り付けられ、検出信号を外部に出力するリード端子を備えたセンサ素子と、
前記ケースに取り付けられ、前記リード端子が接続される基板と、
前記基板に接続され、前記ケースから突出して外部との接続が可能な外部接続端子とを備え、
前記センサ素子は、前記検出対象に対する配置方向を規定する基準面を有し、
前記ケースは、前記センサ素子を挿入して位置決めするための収納部を有し、
前記収納部は、前記基準面を前記検出対象に対して位置決めする基準壁部と、前記基準壁部に対向し、前記センサ素子の挿入方向に向けて前記基準壁部に対して狭まるように傾斜するテーパ部を備え、
前記基準壁部と前記テーパ部との間隔は、前記基準面に垂直な前記センサ素子の厚さ寸法よりも長い部分と短い部分を有するものであり、
前記ケースの前記収納部に前記センサ素子を挿入し、前記センサ素子の先端部を前記テーパ部に当接させて前記基準面と前記基準壁部とを接触した状態で取り付け、
前記ケースに前記外部接続端子を位置決めし、
前記基板を前記ケースに装着し、前記基板に前記リード端子及び前記外部接続端子をハンダ付けしてなることを特徴とする移動量検出装置の製造方法。
【請求項８】
前記基板は、前記リード端子及び前記外部接続端子が接触しない大きさの接続孔を有し、前記接続孔にランドが設けられており、
前記ケースに前記基板を装着する際に、前記接続孔に前記リード端子と前記外部接続端子を挿入して前記ランドにハンダ付けすることを特徴とする請求項７に記載の移動量検出装置の製造方法。
【発明の詳細な説明】
【技術分野】
【０００１】
本発明は、センサ素子の取付構造、当該取付構造を利用した移動量検出装置、及びその製造方法に関する。
【背景技術】
【０００２】
従来、位置や回転の検出を行うホールＩＣ等のセンサ素子を、検出対象に対して正確に位置決めするために、ホールＩＣの位置決め構造として、種々の提案がなされている。例えば、特許文献１においては、ホールＩＣを凹部に嵌挿させ、嵌挿されたホールＩＣの上面を押さえつける複数の傾斜突部を用いて、ホールＩＣを位置決め固定する保持装置が開示されている。当該保持装置は、さらに基板に装着されて検出対象に対して位置決めされる。【０００３】
また、特許文献２には、位置や回転の検出を行うホールＩＣを基板に取り付ける際に、金属製の位置決め治具にホールＩＣを装着し、位置決め治具を基板の所定位置に配置し、基板に対してホールＩＣのリード端子をハンダ付けする方法が開示されている。また、基板に対してホールＩＣをハンダ付けにより固定した後は、位置決め治具を取り外している。
【先行技術文献】
【特許文献】
【０００４】
【特許文献１】実開昭５８−０７２８６１号公報
【特許文献２】特開２０１２−０７８１２３号公報
【発明の開示】
【発明が解決しようとする課題】
【０００５】
特許文献１に開示された位置決め構造では、ホールＩＣが凹部に嵌挿されると共に、複数の傾斜突部によって上面が押さえつけられており、ホールＩＣに圧力がかかり、内部に応力が生じているため、ホールＩＣの検出精度に影響が出て、精度にばらつきが生じるおそれがある。また、ホールＩＣが固定された保持装置を基板に取り付ける際、その位置決めを正確に行わなければならず、位置決め作業の精度によって検出精度が左右されるという不都合がある。【０００６】
また、特許文献２に記載の方法では、位置決め治具を利用してホールＩＣをハンダ付けする際には正しく位置決めがなされているが、位置決め治具を取り外した後、リード端子のスプリングバック等によってホールＩＣの位置が変動するおそれがある。従って、当該方法によって基板に固定されたホールＩＣを用いたセンサ装置は、検出精度にばらつきが生じるおそれがある。【０００７】
本発明は、上記課題を解決するために、ホールＩＣ等のセンサ素子の精度に影響を与えることなく、検出対象に対してセンサ素子を正確に位置決めすることができるセンサ素子の取付構造、当該取付構造を有する移動量検出装置、及びその製造方法を提供することを目的とする。
【課題を解決するための手段】
【０００８】
前記目的を達成するために、本発明のセンサ素子の取付構造は、検出対象に対して位置決めされるケースにセンサ素子を取り付ける構造であって、
前記センサ素子は、前記検出対象に対する配置方向を規定する基準面を有し、  前記ケースは、前記センサ素子を挿入して位置決めするための収納部を有し、
前記収納部は、前記基準面を前記検出対象に対して位置決めする基準壁部と、前記基準壁部に対向し、前記センサ素子の挿入方向に向けて前記基準壁部に対して狭まるように傾斜するテーパ部を備え、
前記基準壁部と前記テーパ部との間隔は、前記基準面に垂直な前記センサ素子の厚さ寸法よりも長い部分と短い部分を有しており、
前記センサ素子は、前記収納部に挿入され、前記テーパ部に当接して前記基準面が前記基準壁部に接触した状態で取り付けられることを特徴とする。【０００９】
本発明のセンサ素子の取付構造によれば、センサ素子の基準面が、検出対象に対して位置決めされるケースの基準壁部に接触した状態で位置決めされる。このとき、センサ素子は、ケースの収納部に設けられたテーパ部によって案内されることにより、ケースの基準壁部に基準面が接触する。従って、従来の特許文献１のように、センサ素子に応力を生じさせることがないので、センサ素子の検出精度に影響を与えることなく、正確に基準壁部に位置決めして取り付けることができる。【００１０】
また、本発明のセンサ素子の取付構造において、前記収納部は、前記センサ素子の幅方向の両側に、前記センサ素子を挿入方向に案内するガイド壁が設けられていることが好ましい。当該構成によれば、センサ素子の基準面に対する方向、即ちセンサ素子の厚さ方向に対する方向のみならず、センサ素子の幅方向の位置決めも行うことができる。このため、ケースに対するセンサ素子の位置決めがさらに正確なものとなる。【００１１】
また、本発明のセンサ素子の取付構造において、前記センサ素子は、検出信号を外部に出力するリード端子を有しており、前記リード端子は、前記センサ素子が前記収納部に取り付けられた際に、前記基準壁部側に向けて屈曲されていることが好ましい。当該構成によれば、リード端子が基準壁部側に向けて屈曲されているので、リード端子の重みでセンサ素子の基準面がケースの基準壁部側に押し付けられるため、センサ素子の位置決めがさらに正確なものとなる。【００１２】
また、本発明のセンサ素子の取付構造において、前記ケースは、前記センサ素子が前記収納部に取り付けられた際に、前記リード端子を案内するガイド突部を備えていることが好ましい。このように、リード端子がガイド突部に案内されることにより、センサ素子は、ケースの収納部に位置決めされた状態で保持される。【００１３】
本発明の移動量検出装置は、検出対象の移動量を検出する移動量検出装置であって、
前記検出対象に対して位置決めされるケースと、
前記ケースに取り付けられ、検出信号を外部に出力するリード端子を備えたセンサ素子と、
前記ケースに取り付けられ、前記リード端子が接続される基板と、
前記基板に接続され、前記ケースから突出して外部との接続が可能な外部接続端子とを備え、
前記センサ素子は、前記検出対象に対する配置方向を規定する基準面を有し、
前記ケースは、前記センサ素子を挿入して位置決めするための収納部を有し、
前記収納部は、前記基準面を前記検出対象に対して位置決めする基準壁部と、前記基準壁部に対向し、前記センサ素子の挿入方向に向けて前記基準壁部に対して狭まるように傾斜するテーパ部を備え、
前記基準壁部と前記テーパ部との間隔は、前記基準面に垂直な前記センサ素子の厚さ寸法よりも長い部分と短い部分を有しており、
前記センサ素子は、前記収納部に挿入され、前記テーパ部に当接して前記基準面が前記基準壁部に接触した状態で取り付けられ、前記リード端子が前記基板に接続されていることを特徴とする。【００１４】
本発明の移動量検出装置によれば、ケースの収納部に設けられた基準壁部とテーパ部とにより、基準面を有するセンサ素子がケースに対して正確に取り付けられるため、検出対象とセンサ素子との間の距離を常に正確なものとすることができる。【００１５】
また、本発明の移動量検出装置において、前記検出対象は円弧状の外周面を有する磁性体であり、前記ケースは、前記外周面に沿って延設された円弧状の側壁部を有し、前記収納部は前記側壁部に沿って３箇所に設けられ、それぞれの前記収納部に前記センサ素子が取り付けられていることが好ましい。当該構成によれば、円弧状の外周面を有する磁性体に対して、正確に位置決めされて取り付けられた３個のセンサ素子によって、検出対象の移動量を正確に検出することができる。【００１６】
本発明の移動量検出装置の製造方法は、検出対象の移動量を検出する移動量検出装置の製造方法であって、
前記移動量検出装置は、
前記検出対象に対して位置決めされるケースと、
前記ケースに取り付けられ、検出信号を外部に出力するリード端子を備えたセンサ素子と、
前記ケースに取り付けられ、前記リード端子が接続される基板と、
前記基板に接続され、前記ケースから突出して外部との接続が可能な外部接続端子とを備え、
前記センサ素子は、前記検出対象に対する配置方向を規定する基準面を有し、
前記ケースは、前記センサ素子を挿入して位置決めするための収納部を有し、
前記収納部は、前記基準面を前記検出対象に対して位置決めする基準壁部と、前記基準壁部に対向し、前記センサ素子の挿入方向に向けて前記基準壁部に対して狭まるように傾斜するテーパ部を備え、
前記基準壁部と前記テーパ部との間隔は、前記基準面に垂直な前記センサ素子の厚さ寸法よりも長い部分と短い部分を有するものであり、
前記ケースの前記収納部に前記センサ素子を挿入し、前記センサ素子の先端部を前記テーパ部に当接させて前記基準面と前記基準壁部とを接触した状態で取り付け、
前記ケースに前記外部接続端子を位置決めし、
前記基板を前記ケースに装着し、前記基板に前記リード端子及び前記外部接続端子をハンダ付けしてなることを特徴とする。【００１７】
本発明の移動量検出装置の製造方法によれば、ケースの収納部に対してセンサ素子を正確に位置決めして取り付けた状態で基板とリード端子とをハンダ付けするので、ハンダ付け後のスプリングバック等によってセンサ素子の位置が変動することがない。【００１８】
また、本発明の移動量検出装置の製造方法において、前記基板は、前記リード端子及び前記外部接続端子が接触しない大きさの接続孔を有し、前記接続孔にランドが設けられており、前記ケースに前記基板を装着する際に、前記接続孔に前記リード端子と前記外部接続端子を挿入して前記ランドにハンダ付けすることが好ましい。【００１９】
当該構成によれば、基板の接続孔がリード端子に接触しない大きさを有しているため、基板をケースに装着してハンダ付けする際に、正確に位置決めされて取り付けられたセンサ素子に影響を与えることなく装着することができる。
【発明の効果】
【００２０】
本発明によれば、ホールＩＣ等のセンサ素子の精度に影響を与えることなく、検出対象に対してセンサ素子を正確に位置決めすることができるセンサ素子の取付構造、当該取付構造を有する移動量検出装置、及びその製造方法を提供することができる。
【図面の簡単な説明】
【００２１】
【図１】本発明のセンサ素子の取付構造を採用した回転検出装置を示す説明図。
【図２】（Ａ）はセンサ素子の形状、（Ｂ）はセンサ素子と収納部の形状を示す説明図。
【図３】検出対象、センサ素子及び収納部の関係を示す説明的断面図。
【図４】図１の回転検出装置のＡ−Ａ線断面図。
【図５】センサ素子がケースの収納部に位置決めされて取り付けられている状態を示す説明図。
【発明を実施するための最良の形態】
【００２２】
次に、本発明の実施形態のセンサ素子の取付構造、当該取付構造を用いた移動量検出装置、及びその製造方法について、図１〜図５を参照して説明する。図１に示すように、本実施形態では、移動量検出装置として回転検出装置１を例にして説明する。回転検出装置１は、リング状の磁性体である検出対象２の回転を検出するための装置である。【００２３】
回転検出装置１は、図１に示すように、合成樹脂製のケース３と、ケース３に設けられた３個のセンサ素子４と、センサ素子４のリード端子４２がハンダ付けされる基板５と、基板５にハンダ付けされてケース３の外部に突出する外部接続端子６とを備えている。外部接続端子６は、センサ素子４によって検出された信号を外部の機器に接続可能に設けられている。なお、回転検出装置１は、図示しない蓋部材によって内部のセンサ素子４や基板５等が保護されている。【００２４】
検出対象２は、例えば、電動スクーター等のモータに用いられるロータが一例として挙げられる。このようなモータは、回転数を検出して種々の制御を行っているが、回転数が正確に検出できないと、種々の制御を正確に行うことができない。検出対象２の回転数を正確に検出するためには、検出対象２に対して、センサ素子４が正確に位置決めされている必要がある。なお、検出対象２は円盤状や円柱状であってもかまわない。【００２５】
本実施形態の回転検出装置１は、ケース３に検出対象２の外周面に沿って延設された円弧状の側壁部３１を備えており、この側壁部３１の内側の３箇所に収納部３２を設け、この収納部３２に３個のセンサ素子４を位置決めして取り付けている。【００２６】
センサ素子４は、本実施形態ではホールＩＣであり、図２（Ａ）に示すように、素子本体４１と、素子本体４１から延びる３本のリード端子４２とを備えている。リード端子４２は、素子本体４１の内部に設けられた素子によって検出された検出信号を外部に出力するものである。【００２７】
図２（Ａ）に示すように、素子本体４１のリード端子４２が延びている方向の面が基準面４３として規定されている。この基準面４３は、検出対象２の回転を正確に検出するために、検出対象２の外周面に対して正対するように設定された面である。即ち、この基準面４３を基準壁部３３に接触させたセンサ素子４の方向が、検出対象２に対するセンサ素子４の配置方向となる。【００２８】
図２（Ｂ）に示す収納部３２は、ケース３の側壁部３１側から見た状態を示している。収納部３２には、センサ素子４の基準面４３が接触する基準壁部３３が設けられている。本実施形態では、基準壁部３３は、単なる壁面ではなく、中央部に凹部３４が形成された２箇所の壁面で形成されている。【００２９】
また、収納部３２は、センサ素子４の幅方向の両側に、センサ素子４を挿入方向Ｆに案内する一対のガイド壁３５が設けられている。この一対のガイド壁３５同士の間隔は、センサ素子４の素子本体４１の幅よりも若干広く形成されている。このため、センサ素子４が収納部３２に収納された際に、ガイド壁３５によって素子本体４１が圧迫されることがない。【００３０】
また、図３に示すように、収納部３２には、基準面４３に対向し、図３においてセンサ素子４の挿入方向Ｆに向けて基準面４３に対して狭まるように傾斜するテーパ部３６を備えている。このテーパ部３６は、上方部分がセンサ素子４の厚さ寸法Ｔよりも長くなっており、下方部分はセンサ素子４の厚さ寸法Ｔよりも短くなっている。センサ素子４の厚さ寸法Ｔとは、素子本体４１の基準面４３に対して垂直な方向の厚さの寸法をいう。【００３１】
さらに、収納部３２には、センサ素子４が収納部３２に収納された際に中央のリード端子４２を案内するガイド突部３７が設けられている。このガイド突部３７は、収納部３２に設けられた凹部３４の部分から上方に突出する一対の突部により形成されている。なお、本実施形態においては、リード端子４２とガイド突部３７とは嵌合しておらず、多少遊びがある状態で案内される。【００３２】
また、図１に示すように、ケース３の内部には基板５が取り付けられている。図１は、ケース３の３箇所の収納部３２に３個のセンサ素子４が取り付けられ、ケース３の後方に外部接続端子６が取り付けられた状態で、基板５がケース３に装着された状態を示している。【００３３】
基板５には、リード端子４２及び外部接続端子６の先端部が挿通される接続孔５１が設けられ、接続孔５１の周囲にはランド５２が設けられている。なお、図１においては、リード端子４２及び外部接続端子６と基板５に設けられたランド５２はハンダ付けされていない。【００３４】
外部接続端子６は、図４に示すように、先端部分（図４において左側）は基板５の接続孔５１に挿通されており、後方部分は端子用蓋部６１に装着されてケース３の外部に突出している。また、本実施形態において、外部接続端子６はハーネス線であり、前方部分が略Ｕ字状に屈曲されており、合成樹脂製の端子位置決め部材６２によって先端部分がケース３に位置決め固定され、他端部が外部に引き出されている。また、ケース３の底面には、外部接続端子６の屈曲部分に当接する爪部３８が形成されている。【００３５】
このように、外部接続端子６は、端子位置決め部材６２とケース３の底面の爪部３８との間を通って端子用蓋部６１の側面に設けられた開口から外部に引き出されている。このため、ケース３の外部に突出している外部接続端子６に、外部から引っ張る力が加わった場合であっても、端子位置決め部材６２とケース３の底面の爪部３８との間に外部接続端子６が引っかかり引張り力を受け止める。そのため、外部接続端子６の先端部分への影響はほとんどなく、外部接続端子６と基板５とのハンダ付け部分には影響が及ばない。【００３６】
次に、本実施形態の回転検出装置１の製造方法について説明する。まずは、ケース３を合成樹脂の射出成形等の製法により製造する。また、センサ素子４は、リード端子４２を屈曲させて図２（Ａ）及び（Ｂ）に示す形状に形成する。また、金属材料から外部接続端子６を形成する。また、基板５、端子位置決め部材６２、端子用蓋部６１等も同様に射出成形等の製法により製造する。【００３７】
次に、ケース３の３箇所の収納部３２に、センサ素子４を装着する。このとき、図２（Ｂ）に示すように、センサ素子４の素子本体４１に形成された基準面４３を収納部３２の基準壁部３３に向けた姿勢とし、センサ素子４を挿入方向Ｆに沿って移動させる。センサ素子４は、収納部３２に設けられた一対のガイド壁３５によって案内されながら下方に移動する。【００３８】
ケース３の側壁部３１には、図３に示すようにテーパ部３６が設けられているため、収納部３２にセンサ素子４を挿入していくと、素子本体４１の先端部分がテーパ部３６に当接し、素子本体４１がこのテーパ部３６に案内されて図３の右側に移動する。そして、テーパ部３６と基準壁部３３との距離がセンサ素子４の素子本体４１の厚さと同じ長さの箇所までくると、センサ素子４は基準面４３がケース３の基準壁部３３に接触するようになる。このとき、センサ素子４の上下方向の位置決めも成される。【００３９】
なお、素子本体４１は先端部の基準壁部３３から離れた側のみでテーパ部３６に接触しているため、接触箇所を支点として基準壁部３３側へ回転するような力が働く。その結果、基準面４３と基準壁部３３とがより安定して面接触するため、位置決め精度がより安定する。【００４０】
このとき、３本のリード端子４２のうち、中央に配置されたリード端子４２が、ケース３の収納部３２に設けられたガイド突部３７によって案内される。即ち、リード端子４２は、収納部３２の基準壁部３３側に向けて配置されている。このように、リード端子４２が基準壁部３３側へ延設されているため、センサ素子４が基準壁部３３側へ回転するような力がより効果的に働く。【００４１】
センサ素子４が収納部３２に収納された状態を図５に示す。この状態では、センサ素子４の素子本体４１にある基準面４３が、ケース３の収納部３２に設けられた基準壁部３３に接触しており、素子本体４１の先端部はケース３に設けられたテーパ部３６に接触している（図３参照）。また、素子本体４１の幅方向の両側には、素子本体４１の幅よりも若干広い間隔を有するガイド壁３５が設けられている。【００４２】
このように、本実施形態においては、センサ素子４がケース３の収納部３２に収納された際に、センサ素子４の素子本体４１には外部から力が加わっていないため、素子本体４１に変形や応力が発生しない。一方で、センサ素子４は、収納部３２のテーパ部３６、基準壁部３３、ガイド突部３７及びガイド壁３５によって正確に位置決めされて取り付けられた状態となる。【００４３】
この状態から、ケース３に、端子位置決め部材６２及び端子用蓋部６１が設けられた外部接続端子６を装着する。次に、ケース３に予め接続孔５１及びランド５２等が形成された基板５を装着する。基板５はケース３に設けられた位置決めピン及びガイドピンによって所定の位置に配置される。このとき、接続孔５１は、リード端子４２及び外部接続端子６が接触しない大きさに形成されているため、ケース３に基板５を装着しても、センサ素子４及び外部接続端子６には基板５は接触しないようにすることができる。【００４４】
次に、リード端子４２及び外部接続端子６と、基板５に設けられたランド５２とをハンダ付けする。このとき、リード端子４２は、素子本体４１が収納部３２に位置決めされて取り付けられた構造となっており、３本のリード端子４２のうちの中央のリード端子４２はガイド突部３７によって位置決めされているので、ハンダ付けを行う際も素子本体４１の位置が変動することはない。このようにハンダ付けされたリード端子４２は、図３に示すように、ハンダ５３によってランド５２に電気的に接続される。【００４５】
次に、ケース３に図示しない蓋部材、及びその他の部品を組み付けることにより、回転検出装置１が完成する。このように、本実施形態の回転検出装置１の製造方法では、ケース３の収納部３２にセンサ素子４を取り付けた状態で、基板５をケース３に装着し、ハンダ付けを行っている。当該製造方法により、ケース３に対して正確にセンサ素子４を組み付けることができるので、回転検出装置１の検出精度を安定したものとすることができる。【００４６】
また、ケース３の収納部３２にセンサ素子４が取り付けられた状態でハンダ付けが行われるので、ハンダ付け後にリード端子４２のスプリングバックが生じることがない。従って、センサ素子４は、ケース３に対して常に安定した形で取り付けられるため、常に安定した検出感度の回転検出装置１を提供することができる。【００４７】
なお、上記実施形態においては、本発明の移動量検出装置として、回転検出装置１を例にして説明したが、これに限らず、センサ素子４によって検出対象の直線的な移動量を検出する位置検出装置としてもよく、検出対象の接近等を検知する検出装置とすることもできる。【００４８】
また、上記実施形態では、基準壁部３３は凹部３４を挟んだ２箇所の壁部で構成されているが、これに限らず、単なる１つの平面として形成してもよい。また、ケース３の側壁部３１が円弧状に形成されているが、厳密な円弧状ではなく、多角形形状に形成されていてもよい。また、上記実施形態では、基準壁部３３が側壁部３１に対面する形で形成されているが、これに限らず、基準壁部３３を側壁部３１側に設け、テーパ部３６を上記実施形態の基準壁部３３が形成されている側に設けてもよい。【００４９】
また、上記実施形態では、センサ素子４としてホールＩＣを例にして説明したが、これ握らず、ＭＲ素子（磁気抵抗センサ）等の素子としてもよい。また、センサ素子４の数は３個に限らず、任意の個数とすることができる。
【符号の説明】
【００５０】
１…回転検出装置
２…検出対象
３…ケース
４…センサ素子
５…基板
６…外部接続端子
３１…側壁部
３２…収納部
３３…基準壁部
３４…凹部
３５…ガイド壁
３６…テーパ部
３７…ガイド突部
３８…爪部
４１…素子本体
４２…リード端子
４３…基準面
５１…接続孔
５２…ランド
５３…ハンダ
６１…端子用蓋部
６２…端子位置決め部材
【図１】
2020049780.tif 000003
【図２】
2020049780.tif 000004
【図３】
2020049780.tif 000005
【図４】
2020049780.tif 000006
【図５】
2020049780.tif 000007
【手続補正書】
【提出日】令和1年8月27日(2019.8.27)
【手続補正１】
【補正対象書類名】特許請求の範囲
【補正対象項目名】全文
【補正方法】変更
【補正の内容】
【特許請求の範囲】
【請求項１】
検出対象に対して位置決めされるケースにセンサ素子を取り付ける構造であって、
前記センサ素子は、前記検出対象に対する配置方向を規定する基準面を有し、
前記ケースは、前記センサ素子を挿入して位置決めするための収納部を有し、
前記収納部は、前記基準面を前記検出対象に対して位置決めする基準壁部と、前記基準壁部に対向し、前記センサ素子の挿入方向に向けて前記基準壁部に対して狭まるように傾斜するテーパ部を備え、
前記基準壁部と前記テーパ部との間隔は、前記基準面に垂直な前記センサ素子の厚さ寸法よりも長い部分と短い部分を有しており、
前記センサ素子は、挿入方向の先端部が前記収納部に挿入され、前記先端部において前記テーパ部に当接し、前記基準面が前記基準壁部に接触した状態で取り付けられることを特徴とするセンサ素子の取付構造。
【請求項２】
前記収納部は、前記センサ素子の幅方向の両側に、前記センサ素子を挿入方向に案内するガイド壁が設けられていることを特徴とする請求項１に記載のセンサ素子の取付構造。
【請求項３】
前記センサ素子は、検出信号を外部に出力するリード端子を有しており、
前記リード端子は、前記センサ素子が前記収納部に取り付けられた際に、前記基準壁部側に向けて屈曲されていることを特徴とする請求項１又は２に記載のセンサ素子の取付構造。
【請求項４】
前記ケースは、前記センサ素子が前記収納部に取り付けられた際に、前記リード端子を案内するガイド突部を備えていることを特徴とする請求項３に記載のセンサ素子の取付構造。
【請求項５】
検出対象の移動量を検出する移動量検出装置であって、
前記検出対象に対して位置決めされるケースと、
前記ケースに取り付けられ、検出信号を外部に出力するリード端子を備えたセンサ素子と、
前記ケースに取り付けられ、前記リード端子が接続される基板と、
前記基板に接続され、前記ケースから突出して外部との接続が可能な外部接続端子とを備え、
前記センサ素子は、前記検出対象に対する配置方向を規定する基準面を有し、
前記ケースは、前記センサ素子を挿入して位置決めするための収納部を有し、
前記収納部は、前記基準面を前記検出対象に対して位置決めする基準壁部と、前記基準壁部に対向し、前記センサ素子の挿入方向に向けて前記基準壁部に対して狭まるように傾斜するテーパ部を備え、
前記基準壁部と前記テーパ部との間隔は、前記基準面に垂直な前記センサ素子の厚さ寸法よりも長い部分と短い部分を有しており、
前記センサ素子は、挿入方向の先端部が前記収納部に挿入され、前記挿入方向の先端部において前記テーパ部に当接し、前記基準面が前記基準壁部に接触した状態で取り付けられ、前記リード端子が前記基板に接続されていることを特徴とする移動量検出装置。
【請求項６】
前記検出対象は円弧状の外周面を有する磁性体であり、
前記ケースは、前記外周面に沿って延設された円弧状の側壁部を有し、
前記収納部は前記側壁部に沿って３箇所に設けられ、それぞれの前記収納部に前記センサ素子が取り付けられていることを特徴とする請求項５に記載の移動量検出装置。
【請求項７】
検出対象の移動量を検出する移動量検出装置の製造方法であって、
前記移動量検出装置は、
前記検出対象に対して位置決めされるケースと、
前記ケースに取り付けられ、検出信号を外部に出力するリード端子を備えたセンサ素子と、
前記ケースに取り付けられ、前記リード端子が接続される基板と、
前記基板に接続され、前記ケースから突出して外部との接続が可能な外部接続端子とを備え、
前記センサ素子は、前記検出対象に対する配置方向を規定する基準面を有し、
前記ケースは、前記センサ素子を挿入して位置決めするための収納部を有し、
前記収納部は、前記基準面を前記検出対象に対して位置決めする基準壁部と、前記基準壁部に対向し、前記センサ素子の挿入方向に向けて前記基準壁部に対して狭まるように傾斜するテーパ部を備え、
前記基準壁部と前記テーパ部との間隔は、前記基準面に垂直な前記センサ素子の厚さ寸法よりも長い部分と短い部分を有するものであり、
前記ケースの前記収納部に前記センサ素子を挿入し、前記センサ素子の挿入方向側の先端部を前記テーパ部に当接させて、前記センサ素子を前記テーパ部で案内し、前記基準面と前記基準壁部とを接触した状態で取り付け、
前記ケースに前記外部接続端子を位置決めし、
前記基板を前記ケースに装着し、前記基板に前記リード端子及び前記外部接続端子をハンダ付けしてなることを特徴とする移動量検出装置の製造方法。
【請求項８】
前記基板は、前記リード端子及び前記外部接続端子が接触しない大きさの接続孔を有し、前記接続孔にランドが設けられており、
前記ケースに前記基板を装着する際に、前記接続孔に前記リード端子と前記外部接続端子を挿入して前記ランドにハンダ付けすることを特徴とする請求項７に記載の移動量検出装置の製造方法。
【国際調査報告】
2020049780.tif 000008
2020049780.tif 000009
2020049780.tif 000010
2020049780.tif 000011